(57)【要約】【課題】ユーザの利便性を損ねることなく、放送を受信できる使い勝手に優れた放送受信装置を提供する。【解決手段】広域放送または狭域放送の放送波を受信する受信部11,12と、受信部により受信される放送波に対応づけられるチャンネルのうち、放送視聴用アプリケーション(視聴アプリ)が起動された際に最初に選局されるチャンネルをラストチャンネルとして記憶するための記憶部24と、受信部により広域放送の放送波が受信されている場合、視聴アプリが終了された際に、当該視聴アプリ終了直前に選局されていたチャンネルをラストチャンネルとして記憶部24に記憶し、受信部により狭域放送の放送波が受信されている場合、視聴アプリが終了された際に、当該視聴アプリ終了直前に選局されていたチャンネルをラストチャンネルとして記憶部24に記憶しないように制御する制御部13と、を備える。【選択図】図１
2010232825.tif 000002
【特許請求の範囲】
【請求項１】
広域放送または狭域放送の放送波を受信する受信部と、
前記受信部により受信される放送波に対応づけられるチャンネルのうち、放送視聴用アプリケーションが起動された際に最初に選局されるチャンネルをラストチャンネルとして記憶するための記憶部と、
前記受信部により広域放送の放送波が受信されている場合、前記放送視聴用アプリケーションが終了された際に、当該放送視聴用アプリケーション終了直前に選局されていたチャンネルをラストチャンネルとして前記記憶部に記憶し、前記受信部により狭域放送の放送波が受信されている場合、前記放送視聴用アプリケーションが終了された際に、当該放送視聴用アプリケーション終了直前に選局されていたチャンネルをラストチャンネルとして前記記憶部に記憶しないように制御する制御部と、
を備えることを特徴とする放送受信装置。
【請求項２】
請求項１に記載の放送受信装置において、
前記制御部は、前記受信部により狭域放送の放送波が受信されている場合、前記放送視聴用アプリケーションが終了された際に、当該放送視聴用アプリケーション終了直前に選局されていたチャンネルを前記記憶部に記憶されているラストチャネルに対して上書き記憶しないように制御することを特徴とする放送受信装置。
【請求項３】
広域放送または狭域放送の放送波を受信する受信部と、
前記受信部により受信される放送波に対応づけられるチャンネルのうち、放送を視聴するための放送視聴用アプリケーションが起動された際に最初に選局されるチャンネルをラストチャンネルとして記憶するための記憶部と、
前記受信部により広域放送の放送波が受信されている場合、前記放送視聴用アプリケーションが終了された際に、当該放送視聴用アプリケーション終了直前に選局されていたチャンネルをラストチャンネルとして前記記憶部に記憶し、前記受信部により狭域放送の放送波が受信されている場合、前記放送視聴用アプリケーションが終了された際に、当該放送視聴用アプリケーション終了直前に選局されていたチャンネルをラストチャンネルとして前記記憶部に所定時間だけ記憶するように制御する制御部と、を備え、
前記制御部は、前記記憶部に広域放送のチャンネルがラストチャンネルとして記憶されている状態で、新たに狭域放送のチャンネルをラストチャンネルとして所定時間だけ記憶した場合、当該所定時間経過後、前記ラストチャンネルとして記憶した狭域放送のチャンネルをラストチャンネルとして記憶しないようにし、当該広域放送のチャンネルを再びラストチャンネルとして記憶するように制御することを特徴とする放送受信装置。
【発明の詳細な説明】
【技術分野】
【０００１】
本発明は、携帯型の放送受信装置に関するものである。
【背景技術】
【０００２】
近年、携帯電話等の携帯端末として、ＩＳＤＢ−Ｔ（Integrated Services Digital Broadcasting-Terrestrial）に準拠した地上デジタルテレビジョン放送のワンセグ放送を受信する放送受信装置が搭載されているものが普及している。このような放送受信装置では、放送視聴用アプリケーション（以下、適宜、視聴アプリと略称する）の終了時に、直前に視聴していたチャンネル（チャンネル情報）を装置内のメモリに保存し、次回の視聴アプリ起動時にその内容を利用して選局動作を行うようにしている。この際、メモリ内に保存されるチャンネルは、ラストチャンネルと呼ばれている。これにより、例えば、番組視聴中にユーザの意に反して視聴アプリが終了した場合、ユーザは、視聴アプリを再度立ち上げるだけで、チャンネル選局操作を行うことなく、番組の続きを視聴することが可能となり、ユーザの利便性の向上に役立っている。
【０００３】
また、従来の放送受信装置として、複数地域のチャンネルリストをメモリに保持し、視聴アプリ起動時に、ラストチャンネルリストによる選局に失敗した場合、チャンネルリストを切替えて選局するようにしたものが提案されている（例えば、特許文献１参照）。
【０００４】
一方、最近では、微弱電波を利用して独自の地上デジタルテレビジョン放送の部分受信放送（いわゆる、ワンセグ放送）を送信するシステムも普及しつつある。この独自のワンセグ放送は、Dpa(社団法人デジタル放送推進協会)では、「ワンセグメント・ローカルサービス」と呼ばれている。「ワンセグメント・ローカルサービス」では、１つのアンテナがカバーする視聴エリアは最大で２ｍ程度である。また、微弱電波を利用するため、放送局の免許が不要であり、誰でもサービスを行うことが可能である。
【０００５】
なお、カバーエリアの狭い放送は、「ワンセグメント・ローカルサービス」に限らず、他のテレビジョン放送、文字放送、音声放送等の種々の放送形態が想定される。本明細書では、このようなカバーエリアの狭い放送を、放送局の免許の有無に拘らず、「狭域放送」と称し、免許を有する放送局からの放送のように、「狭域放送」よりも相対的にカバーエリアの広い放送を「広域放送」と称する。以下、地上デジタルテレビジョン放送の場合を想定して説明する。
【先行技術文献】
【特許文献】
【０００６】
【特許文献１】特開２００６−１０９３３７号公報
【発明の概要】
【発明が解決しようとする課題】
【０００７】
ところで、狭域放送エリアが点在している放送環境では、ユーザが狭域放送を視聴した後、視聴アプリを終了させて、当該狭域放送の受信エリア外に移動してしまうことが容易に想定される。このような場合、放送受信装置内に、狭域放送の視聴チャンネルをラストチャンネルとして保存すると、次回、視聴アプリを起動した際に、ラストチャンネルの狭域放送が受信不可能であるにもかかわらず、最初に狭域放送のチャンネルを選局してしまいユーザの利便性を損ねることになる。
【０００８】
図１２は、この場合の視聴態様を説明するイメージ図である。図１２において、ユーザが、狭域放送エリア外から放送受信装置の視聴アプリを起動したまま、あるいは狭域放送エリア内で視聴アプリを起動して、狭域放送のチャンネル（例えば、「１１ｃｈ」）を選局すると、当該チャンネルで放送されている狭域放送を視聴することができる。その後、ユーザが視聴アプリを終了して当該狭域放送の受信エリア外に移動し、再び視聴アプリを起動したとする。この場合、狭域放送エリアでの視聴アプリの終了の際に、狭域放送の視聴チャンネル「１１ｃｈ」がラストチャンネルとして保存されていると、当該狭域放送のチャンネルが選局される。その結果、放送受信装置の画面には、放送波を受信できない旨のメッセージが表示されることになる。
【０００９】
また、この場合、上記の特許文献１に開示のように、チャンネルリストを切替えるようにすると、実際には狭域放送のチャンネルのみが選局不能であるにも関わらず、チャンネルリストそのものが切替わって、広域放送のチャンネルが切替わってしまうため、広域放送まで受信できなくなってしまう。そのため、ユーザは、再びチャンネルリストを元に戻す操作が必要となり、やはりユーザの利便性を損ねることになる。
【００１０】
したがって、かかる点に鑑みてなされた本発明の目的は、ユーザの利便性を損ねることなく、放送を受信できる使い勝手に優れた放送受信装置を提供することにある。
【課題を解決するための手段】
【００１１】
上記目的を達成する第１の観点に係る放送受信装置の発明は、
広域放送または狭域放送の放送波を受信する受信部と、
前記受信部により受信される放送波に対応づけられるチャンネルのうち、放送視聴用アプリケーションが起動された際に最初に選局されるチャンネルをラストチャンネルとして記憶するための記憶部と、
前記受信部により広域放送の放送波が受信されている場合、前記放送視聴用アプリケーションが終了された際に、当該放送視聴用アプリケーション終了直前に選局されていたチャンネルをラストチャンネルとして前記記憶部に記憶し、前記受信部により狭域放送の放送波が受信されている場合、前記放送視聴用アプリケーションが終了された際に、当該放送視聴用アプリケーション終了直前に選局されていたチャンネルをラストチャンネルとして前記記憶部に記憶しないように制御する制御部と、
を備えることを特徴とするものである。
【００１２】
第２の観点に係る発明は、第１の観点に係る放送受信装置において、
前記制御部は、前記受信部により狭域放送の放送波が受信されている場合、前記放送視聴用アプリケーションが終了された際に、当該放送視聴用アプリケーション終了直前に選局されていたチャンネルを前記記憶部に記憶されているラストチャネルに対して上書き記憶しないように制御することを特徴とするものである。
【００１３】
さらに、上記目的を達成する第３の観点に係る放送受信装置の発明は、
広域放送または狭域放送の放送波を受信する受信部と、
前記受信部により受信される放送波に対応づけられるチャンネルのうち、放送を視聴するための放送視聴用アプリケーションが起動された際に最初に選局されるチャンネルをラストチャンネルとして記憶するための記憶部と、
前記受信部により広域放送の放送波が受信されている場合、前記放送視聴用アプリケーションが終了された際に、当該放送視聴用アプリケーション終了直前に選局されていたチャンネルをラストチャンネルとして前記記憶部に記憶し、前記受信部により狭域放送の放送波が受信されている場合、前記放送視聴用アプリケーションが終了された際に、当該放送視聴用アプリケーション終了直前に選局されていたチャンネルをラストチャンネルとして前記記憶部に所定時間だけ記憶するように制御する制御部と、を備え、
前記制御部は、前記記憶部に広域放送のチャンネルがラストチャンネルとして記憶されている状態で、新たに狭域放送のチャンネルをラストチャンネルとして所定時間だけ記憶した場合、当該所定時間経過後、前記ラストチャンネルとして記憶した狭域放送のチャンネルをラストチャンネルとして記憶しないようにし、当該広域放送のチャンネルを再びラストチャンネルとして記憶するように制御することを特徴とするものである。
【発明の効果】
【００１４】
本発明によれば、狭域放送を受信して視聴アプリを終了する場合は、狭域放送のチャンネルをラストチャンネルとして記憶しないか、もしくは所定時間だけ記憶するので、ユーザの利便性を損ねることなく、放送を受信できる使い勝手に優れた放送受信装置を実現することが可能となる。
【図面の簡単な説明】
【００１５】
【図１】本発明の第１実施の形態に係る放送受信装置の要部の構成を示す機能ブロック図である。
【図２】図１に示した放送受信装置の動作の概要を示すフローチャートである。
【図３】地上デジタルテレビジョン放送の放送波に含まれるネットワーク情報テーブルを示す図である。
【図４】図１に示した放送受信装置の一視聴態様を説明する概要図である。
【図５】図１に示した放送受信装置の一視聴態様を説明するイメージ図である。
【図６】本発明の第２実施の形態に係る放送受信装置の要部の構成を示す機能ブロック図である。
【図７】図６に示した放送受信装置の動作の概要を示すフローチャートである。
【図８】図６に示した一時保存部による保存期間（タイマ値）を設定するテーブルの一例を示す図である。
【図９】図６に示した一時保存部による保存期間（タイマ値）を設定するテーブルの他の例を示す図である。
【図１０】図６に示した放送受信装置の一視聴態様を説明する概要図である。
【図１１】図６に示した放送受信装置の一視聴態様を説明するイメージ図である。
【図１２】従来の放送受信装置の一視聴態様を説明するイメージ図である。
【発明を実施するための形態】
【００１６】
以下、本発明の実施の形態について、図を参照して説明する。
【００１７】
図１は、本発明の第１実施の形態に係る放送受信装置の要部の構成を示す機能ブロック図である。この放送受信装置は、ＩＳＤＢ−Ｔに準拠した地上デジタルテレビジョン放送のワンセグ放送を受信するもので、受信アンテナ１１を有する。受信アンテナ１１で受信された信号は、チューナ部１２に供給される。チューナ部１２は、制御部１３からの周波数(チャンネル)指定命令に基づいて、入力信号をチューニング（選局）して周波数変換する。したがって、受信アンテナ１１およびチューナ部１２は、放送波を受信する受信部を構成する。
【００１８】
チューナ部１２で周波数変換されたチャンネル信号は、復調部１４でＭＰＥＧのトランスポートストリーム（ＴＳ）信号に復調される。ここで、ＴＳ信号には、音声信号や映像信号、字幕信号やデータ信号などがパケット単位で多重化されている。ＴＳ信号に復調されたチャンネル信号は、多重分離部１５において、ＴＳ信号内のパケットＩＤに基づいて、音声パケット、映像パケット、字幕パケット、データ放送パケットなどに分離されて、それぞれ音声デコーダ部１６、映像デコーダ部１７、字幕デコーダ部１８、データ放送デコーダ部１９に出力される。
【００１９】
音声デコーダ部１６は、制御部１３からの指定命令に基づいて音声データをデコードして、スピーカ２０に出力する。映像デコーダ部１７は、映像データをデコードして表示制御部２１に出力する。字幕デコーダ部１８は、字幕データをデコードして表示制御部２１に出力する。データ放送デコーダ部１９は、受信したＢＭＬ(Broadcast Markup Language)に基づいて画面イメージを作成して、表示制御部２１に出力する。表示制御部２１は、制御部１３からの命令に基づいて、映像デコーダ部１７、字幕デコーダ部１８やデータ放送デコーダ部１９から受信したデータを重畳して表示部２２に表示する。
【００２０】
また、この放送受信装置は、ネットワークＩＤ識別部２３により、現在視聴中の番組のネッワークＩＤから放送局を識別する。そして、視聴アプリの終了時に、その終了直前に視聴していたチャンネル（チャンネル情報）を、装置内のメモリ（記憶部）２４のラストチャンネル保持部２４ａに保存することにより、次回の視聴アプリ起動時に、ラストチャンネル保持部２４ａに保存されているチャンネルに対して自動で選局を行うようになっている。なお、視聴アプリのソフトウェアは、メモリ２４に格納されており、このソフトウェアに従って制御部１３により全体の動作が制御される。また、上記構成において、制御部１３を含む複数のブロックは、例えば、マイクロプロセッサで構成される。
【００２１】
本実施の形態に係る放送受信装置は、狭域放送のチャンネルが選局されている状態、すなわち、ユーザが狭域放送エリア内で狭域放送を視聴している状態で、視聴アプリが終了された場合、その終了直前に選局されていた狭域放送のチャンネルをラストチャンネルとしてラストチャンネル保持部２４ａに記憶しないように制御部１３により制御する。
【００２２】
以下、本実施の形態に係る放送受信装置の動作の概要について、図２に示すフローチャートを参照して説明する。なお、ラストチャンネル保持部２４ａには、狭域放送のチャンネルが選局される時点で、最後(直前)に選局された広域放送番組のチャンネル（例えば、「２ｃｈ」）が保存されているものとする。
【００２３】
先ず、制御部１３は、ユーザによる図示していない操作部からの操作や内部イベントなどによる視聴アプリ終了指示を受信すると（ステップＳ１１のＹ）、ネットワークＩＤ識別部２３に現在選局されているチャンネルが狭域放送のチャンネルであるか、すなわち現在視聴中の放送番組が狭域放送であるかを判定するように指示する（ステップＳ１２）。この判定は、「ワンセグメント・ローカルサービス」の場合、ネットワークＩＤが全国一律で 「０ｘ７Ｅ８Ｅ」と定められているので、放送波に含まれる図３に示すネットワーク情報テーブル(Network Information Table:NIT)のネットワーク識別フィールドの値を確認することにより実行することができる。
【００２４】
その結果、視聴中の放送番組が狭域放送でなかった場合（ステップＳ１２のＮ）、すなわち広域放送の場合、制御部１３は、メモリ２４内のラストチャンネル保持部２４ａに、現在視聴中の広域放送番組のチャンネルを上書き保存して（ステップＳ１３）、視聴アプリを終了させる（ステップＳ１４）。これに対し、視聴中の放送番組が狭域放送であった場合（ステップＳ１２のＹ）、制御部１３は、ステップＳ１４に移行して、メモリ２４内のラストチャンネル保持部２４ａに現在視聴中の狭域放送番組のチャンネルを保存せずに視聴アプリを終了させる。したがって、この場合は、当該狭域放送の視聴以前に視聴された広域放送番組のチャンネルが、ラストチャンネルとしてラストチャンネル保持部２４ａに保持されていることになる。
【００２５】
このように、本実施の形態に係る放送受信装置は、視聴アプリの終了時に広域放送番組が視聴されていた場合、当該広域放送番組のチャンネルをメモリ２４内のラストチャンネル保持部２４ａに上書き保存し、狭域放送番組が視聴されていた場合は、当該狭域放送番組のチャンネルをラストチャンネル保持部２４ａに上書きしないようにする。したがって、ユーザが狭域放送エリア内で視聴アプリを終了した後、狭域放送エリア外に移動して視聴アプリを起動した場合は、チャンネルスキャンが行われることなく、ラストチャンネル保持部２４ａに保持されている広域放送のチャンネルが自動的に選局されることになる。
【００２６】
図４および図５は、本実施の形態に係る放送受信装置の一視聴態様を説明する概要図およびイメージ図である。本実施の形態に係る放送受信装置によると、ユーザが、狭域放送エリア外から視聴アプリを起動したまま、あるいは狭域放送エリア内で視聴アプリを起動して、狭域放送のチャンネル（例えば、「１１ｃｈ」）を選局すると、当該チャンネルで放送されている狭域放送を視聴することができる。この際、メモリ２４内のラストチャンネル保持部２４ａには、当該狭域放送の視聴以前に視聴された広域放送番組のチャンネル（例えば、「２ｃｈ」）が、ラストチャンネルとして保持される。
【００２７】
その後、視聴アプリが終了され、ユーザが当該狭域放送の受信エリア外に移動して、再び視聴アプリを起動したとする。この場合、狭域放送エリアでの視聴アプリの終了の際に、ラストチャンネル保持部２４ａには、狭域放送の視聴チャンネル「１１ｃｈ」が上書きされず、広域放送の視聴チャンネル「２ｃｈ」が保持されているので、このチャンネル「２ｃｈ」が自動的に選局されることになる。したがって、ユーザの利便性を損ねることがなく、使い勝手を向上することができる。
【００２８】
（第２実施の形態）
図６は、本発明の第２実施の形態に係る放送受信装置の要部の構成を示す機能ブロック図である。この放送受信装置は、図１に示した構成において、メモリ２４に一時保存部２４ｂを設け、狭域放送のチャンネルが選局されている状態、すなわち、ユーザが狭域放送エリア内で狭域放送を視聴している状態で、視聴アプリが終了された場合、ラストチャンネル保持部２４ａに現在保存中の広域放送のチャンネルを一時保存部２４ｂに退避させて、視聴アプリ終了直前に選局されていた狭域放送のチャンネルを、ラストチャンネルとしてラストチャンネル保持部２４ａに所定時間だけ記憶するように制御部１３により制御する。その他の構成および動作は、第１実施の形態と同様であるので、説明を省略する。
【００２９】
以下、本実施の形態に係る放送受信装置の動作の概要について、図７に示すフローチャートを参照して説明する。なお、ラストチャンネル保持部２４ａには、狭域放送のチャンネルが選局される時点で、最後(直前)に選局された広域放送番組のチャンネルが保存されているものとする。
【００３０】
先ず、制御部１３は、ユーザによる操作や内部イベントなどによる視聴アプリ終了指示を受信すると（ステップＳ２１のＹ）、ネットワークＩＤ識別部２３に現在選局されているチャンネルが狭域放送のチャンネルであるか、すなわち現在視聴中の放送番組が狭域放送であるかを判定するように指示する（ステップＳ２２）。その結果、視聴中の放送番組が狭域放送でなかった場合（ステップＳ２２のＮ）、すなわち広域放送の場合、制御部１３は、メモリ２４内のラストチャンネル保持部２４ａに、現在視聴中の広域放送番組のチャンネルを上書き保存して（ステップＳ２３）、視聴アプリを終了させる（ステップＳ２４）。
【００３１】
これに対し、視聴中の放送番組が狭域放送であった場合（ステップＳ２２のＹ）、制御部１３は、メモリ２４内のラストチャンネル保持部２４ａに現在保存中のチャンネル(広域放送のチャンネル)をメモリ２４内の一時保存部２４ｂに退避させて（ステップＳ２５）、視聴していた狭域放送のチャンネルをラストチャンネル保持部２４に所定時間だけ保存する（ステップＳ２６）。そして、狭域放送のチャンネルの保存が終了すると、制御部１３は、視聴アプリを終了させて（ステップＳ２７）、制御部１３内の保持期限タイマを起動する（ステップＳ２８）。
【００３２】
ここで、保持期限タイマのタイマ値（sec）、すなわち狭域放送のチャンネルをラストチャンネル保持部２４に保存する所定時間は、固定値に限らず、例えば設定画面などからユーザが任意に満了時間を設定できるようにしてもよい。また、チャンネル毎の視聴頻度などを保存している場合は、視聴頻度が高いものはユーザが興味を持っている可能性が高いと判断して、例えば図８に示すような視聴頻度とタイマ値とを関連付けたテーブルをメモリ２４内に保持し、このテーブルに基づいて制御部１３によりタイマ値を動的に設定してもよい。なお、保持期限タイマのタイマ値を設定するテーブルは、視聴頻度に依存したものに限らず、チャンネル毎に、例えば図９に示すような保持期限タイマが満了するまでに再視聴した回数とタイマ値とを関連付けたテーブルであってもよい。
【００３３】
その後、保持期限タイマ（所定時間）が満了すると（ステップＳ２９のＹ）、制御部１３は、メモリ２４内の一時保存部２４ｂに退避中の広域放送のチャンネルを、ラストチャンネル保持部２４ａに上書き保存する（ステップＳ３０）。これにより、狭域放送のチャンネルは、ラストチャンネル保持部２４に所定時間だけ保存されたことになる。
【００３４】
図１０および図１１は、本実施の形態に係る放送受信装置の一視聴態様を説明する概要図およびイメージ図である。本実施の形態に係る放送受信装置によると、第１実施の形態の場合と同様に、ユーザが、狭域放送エリア外から視聴アプリを起動したまま、あるいは狭域放送エリア内で視聴アプリを起動して、狭域放送のチャンネル（例えば、「１１ｃｈ」）を選局すると、当該チャンネルで放送されている狭域放送を視聴することができる。この際、メモリ２４内のラストチャンネル保持部２４ａには、当該狭域放送の視聴以前に視聴された広域放送番組のチャンネル（例えば、「２ｃｈ」）が、ラストチャンネルとして保持される。
【００３５】
その後、視聴アプリが終了されると、狭域放送エリアでの視聴アプリの終了の際に、ラストチャンネル保持部２４ａに現在保存中のチャンネル(「２ｃｈ」)がメモリ２４内の一時保存部２４ｂに退避され、視聴していた狭域放送のチャンネル（「１１ｃｈ」）がラストチャンネル保持部２４に保存される。したがって、一時保存部２４ｂによる一時保存の期間内に、ユーザが再び狭域放送エリア内で視聴アプリを起動すると、狭域放送のチャンネル（「１１ｃｈ」）が自動的に選局されるので、ユーザは何らの選局操作を行うことなく、再び狭域放送を視聴することができる。
【００３６】
また、一時保存部２４ｂによる一時保存の期間が満了すると、ラストチャンネル保持部２４には、一時保存部２４ｂに一時保存されていたチャンネル(「２ｃｈ」)が上書き保存されるので、ユーザが狭域放送エリア内で視聴アプリを終了して狭域放送エリア外に移動し、一時保存期間の満了後に視聴アプリを起動した場合は、チャンネルスキャンが行われることなく、ラストチャンネル保持部２４ａに保持されているチャンネル（「２ｃｈ」）が自動的に選局されることになる。したがって、ユーザの利便性を損ねることがなく、より使い勝手を向上することができる。
【００３７】
すなわち、狭域放送のように放送エリアが非常に狭く放送エリアが点在している場合は、視聴アプリ終了から次回起動までの間隔が長いと次回起動した場所が狭域放送エリア内である可能性は低い。したがって、一定時間経過後に、ラストチャンネルを広域放送のチャンネルに戻すことにより、次回起動時に狭域放送を受信できない状態でユーザに提示することを防止でき、ユーザの利便性を損なうことがない。
【００３８】
なお、本発明は、上記実施の形態にのみ限定されるものではなく、幾多の変形または変更が可能である。例えば、本発明は、ＩＳＤＢ−Ｔの地上デジタルテレビジョン放送に限らず、上述したように、カバーエリアの狭い狭域放送と、狭域放送よりも相対的にカバーエリアの広い広域放送とを受信可能な放送受信装置に有効に適用することができるとともに、テレビジョン放送に限らず、文字放送、音声放送等を受信する場合にも有効に適用することができる。
【符号の説明】
【００３９】
１１  受信アンテナ
１２  チューナ部
１３  制御部
１４  復調部
１５  多重分離部
１６  音声デコーダ部
１７  映像デコーダ部
１８  字幕デコーダ部
１９  データ放送デコーダ部
２０  スピーカ
２１  表示制御部
２２  表示部
２３  ネットワークＩＤ識別部
２４  メモリ
２４ａ  ラストチャンネル保持部
２４ｂ  一時保存部
【図１】
2010232825.tif 000003
【図２】
2010232825.tif 000004
【図３】
2010232825.tif 000005
【図４】
2010232825.tif 000006
【図５】
2010232825.tif 000007
【図６】
2010232825.tif 000008
【図７】
2010232825.tif 000009
【図８】
2010232825.tif 000010
【図９】
2010232825.tif 000011
【図１０】
2010232825.tif 000012
【図１１】
2010232825.tif 000013
【図１２】
2010232825.tif 000014